(57)【要約】      （修正有）【課題】原稿の向きが検出できないことに伴うユーザーの利便性の低下を回避する画像形成装置及び原稿向き設定方法を提供する。【解決手段】画像形成装置は、画像読取部５１、原稿向き検出部５２、ページ判定部５３及び向き設定部５４を備える。画像読取部５１は、画像読取ユニット２を介して、複数枚の原稿Ｒに形成された画像を読み取る。原稿向き検出部５２は、画像読取部５１によって読み取られた画像に基づいて、複数枚の原稿Ｒの向きを、それぞれ、検出する。ページ判定部５３は、原稿向き検出部５２によって原稿Ｒの向きが検出されなかった場合に、原稿が第１ページ目であるか否かを判定する。向き設定部５４は、ページ判定部５３によって原稿が第１ページ目であると判定された場合に、原稿の向きを予め設定された向きに設定する。【選択図】図３
2016158069.tif 000002
【特許請求の範囲】
【請求項１】
記録媒体上に画像を形成する画像形成装置であって、
スキャナーと、
前記スキャナーを介して、複数枚の原稿に形成された画像を読み取る画像読取部と、
前記画像読取部によって読み取られた画像に基づいて、前記複数枚の原稿の向きを、それぞれ、検出する原稿向き検出部と、
前記原稿向き検出部によって前記原稿の向きが検出されなかった場合に、前記原稿が第１ページ目であるか否かを判定するページ判定部と、
前記ページ判定部によって前記原稿が第１ページ目であると判定された場合に、前記原稿の向きを予め設定された向きに設定する向き設定部と
を備える、画像形成装置。
【請求項２】
前記予め設定された向きは、前記画像読取部によって前記原稿が前記スキャナーに送入されるときの前記原稿の先端側を前記原稿の上側又は左側とする向きである、請求項１に記載の画像形成装置。
【請求項３】
前記ページ判定部によって前記原稿が第１ページ目ではないと判定された場合に、前記向き設定部は、前記原稿の向きを、その前に検出された原稿の向きと同一の向きに設定する、請求項１又は請求項２に記載の画像形成装置。
【請求項４】
前記原稿向き検出部は、前記画像読取部によって読み取られた画像にＯＣＲ（Ｏｐｔｉｃａｌ  Ｃｈａｒａｃｔｅｒ  Ｒｅｃｏｇｎｉｔｉｏｎ）を施して、前記複数枚の原稿の向きを、それぞれ、検出する、請求項１から請求項３のいずれかに記載の画像形成装置。
【請求項５】
前記原稿向き検出部は、前記画像読取部によって読み取られた画像のレイアウトを検出して、前記複数枚の原稿の向きを、それぞれ、検出する、請求項１から請求項３のいずれかに記載の画像形成装置。
【請求項６】
スキャナーで読み取られた複数枚の原稿の向きを判定する原稿向き設定方法であって、
前記スキャナーを介して、前記複数枚の原稿に形成された画像を読み取る画像読取工程と、
前記画像読取工程において読み取られた画像に基づいて、前記複数枚の原稿の向きを、それぞれ、検出する原稿向き検出工程と、
前記原稿向き検出工程において前記原稿の向きが検出されなかった場合に、前記原稿が第１ページ目であるか否かを判定するページ判定工程と、
前記ページ判定工程において前記原稿が第１ページ目であると判定された場合に、前記原稿の向きを予め設定された向きに設定する向き設定工程と
を含む、原稿向き設定方法。
【発明の詳細な説明】
【技術分野】
【０００１】
本発明は、画像形成装置、及び、スキャナーで読み取られた複数枚の原稿の向きを判定する原稿向き設定方法に関する。
【背景技術】
【０００２】
従来、記録媒体上に形成された画像を読み取る画像読取装置として、自動搬送部、及び、画像読取部を備える画像読取装置が知られている。上記自動搬送部は、原稿が載置される原稿トレイを有する。上記画像読取部は、上記自動搬送部から搬送された原稿を読み取る第１読取位置及び個別の原稿を読み取る第２読取位置を有する。
【０００３】
このような画像形成装置において、原稿の向きを検出する画像形成装置が開示されている（特許文献１参照）。特許文献１に記載の画像形成装置では、原稿が第１ページ目として印刷すべきものであるか否かを判断し、その判断結果に基づいて原稿の向きを検出するか否かを判定する。そして、原稿の方向を検出すべきと判定された場合、画像データから文字データを抽出し、この文字データを文字認識処理し、その文字認識結果に基づいて、原稿の向きを検出する。そして、この検出結果に基づいて画像データを回転処理して、この画像データを読み出し、コピー用紙に画像形成する。
【０００４】
特許文献１には、この画像読取装置によれば、原稿の第１ページ目のみについて文字認識処理を行い、その原稿の第１ページ目の文字認識結果に基づいて原稿の入力時の回転処理、配置の処理方法の決定を行うため、複写性能の劣化を防止することができると記載されている。
【先行技術文献】
【特許文献】
【０００５】
【特許文献１】特開２００３−１１０８２９号公報
【発明の概要】
【発明が解決しようとする課題】
【０００６】
しかしながら、特許文献１に記載の画像形成装置では、文字認識処理によって、原稿の向きを検出するが、原稿の向きが検出できなかった場合については記載されていない。例えば、原稿の汚れが酷い場合には、文字認識処理によって文字が認識できないことがある。また、例えば、１枚の原稿中に文字の向きが混在している場合には、文字認識処理による原稿の向きが検出できないことがある。これらの場合には、上記画像形成装置の印刷処理が停止するため、ユーザーの利便性が低下する恐れがある。
【０００７】
本発明は、上記課題に鑑みてなされたものであり、原稿の向きが検出できないことに伴うユーザーの利便性の低下を回避することの可能な画像形成装置及び原稿向き設定方法を提供することを目的としている。
【課題を解決するための手段】
【０００８】
本発明の画像形成装置は、記録媒体上に画像を形成する。また、前記画像形成装置は、スキャナー、画像読取部、原稿向き検出部、ページ判定部、及び、向き設定部を備える。前記画像読取部は、前記スキャナーを介して、複数枚の原稿に形成された画像を読み取る。前記原稿向き検出部は、前記画像読取部によって読み取られた画像に基づいて、前記複数枚の原稿の向きを、それぞれ、検出する。前記ページ判定部は、前記原稿向き検出部によって前記原稿の向きが検出されなかった場合に、前記原稿が第１ページ目であるか否かを判定する。前記向き設定部は、前記ページ判定部によって前記原稿が第１ページ目であると判定された場合に、前記原稿の向きを予め設定された向きに設定する。
【０００９】
本発明の原稿向き設定方法では、スキャナーで読み取られた複数枚の原稿の向きを判定する。前記原稿向き設定方法は、画像読取工程、原稿向き検出工程、ページ判定工程、及び、向き設定工程を含む。前記画像読取工程において、前記スキャナーを介して、前記複数枚の原稿に形成された画像を読み取る。前記原稿向き検出工程において、前記画像読取工程において読み取られた画像に基づいて、前記複数枚の原稿の向きを、それぞれ、検出する。前記ページ判定工程において、前記原稿向き検出工程において前記原稿の向きが検出されなかった場合に、前記原稿が第１ページ目であるか否かを判定する。前記向き設定工程において、前記ページ判定工程において前記原稿が第１ページ目であると判定された場合に、前記原稿の向きを予め設定された向きに設定する。
【発明の効果】
【００１０】
本発明の画像形成装置、及び、原稿向き設定方法によれば、原稿の向きが検出できないことに伴うユーザーの利便性の低下を回避することができる。
【図面の簡単な説明】
【００１１】
【図１】本発明の実施形態に係る画像形成装置の構成を示す図である。
【図２】図１に示す画像読取ユニット及び原稿搬送ユニットの構成を示す図である。
【図３】図１に示す制御部及び記憶部の機能的な構成を示す図である。
【図４】図３に示す向き設定部の機能を示す図である。（ａ）は、原稿の長手方向を送入方向と平行に送入する場合を示す。（ｂ）は、原稿の長手方向を送入方向と垂直に送入する場合を示す。
【図５】図３に示す制御部の動作を示すフローチャートである。
【発明を実施するための形態】
【００１２】
以下、本発明の実施形態について、図面（図１〜図５）を参照しながら説明する。なお、図中、同一又は相当部分については同一の参照符号を付して説明を繰り返さない。
【００１３】
まず、図１を参照して、本実施形態に係る画像形成装置１００について説明する。図１は、本実施形態に係る画像形成装置１００の構成を示す図である。画像形成装置１００は、ここでは、複合機である。画像形成装置１００は、スキャナー、複写機、プリンター、及び、ファクシミリ等である。画像形成装置１００は、画像形成ユニット１、画像読取ユニット２、原稿搬送ユニット３、操作パネル４、制御部５、及び、記憶部６を備える。操作パネル４は、タッチパネル４１を備える。
【００１４】
画像形成ユニット１は、記録媒体の一例である記録用紙Ｐに画像を形成する。画像読取ユニット２は、原稿Ｒ上に形成された画像を読み取る。原稿搬送ユニット３は、図２に示すように、原稿トレイ３１、ピックアップローラー３２、分離ローラー対３３、搬送ローラー対３４、レジストローラー対３５、読取ガイド３６、搬送ローラー対３７、排出ローラー対３８、及び、原稿排出トレイ３９を備え、ＡＤＦを構成している。そして、原稿搬送ユニット３は、読み取り対象の原稿Ｒを原稿トレイ３１、ピックアップローラー３２、分離ローラー対３３、搬送ローラー対３４、レジストローラー対３５を通って、原稿自動読取用ガラス２１１に搬送する。そして、３７を通って、原稿排出トレイ３９に排出される。操作パネル４は、タッチパネル４１を備え、画像形成装置１００に対するユーザーからの操作を受け付ける。制御部５は、画像形成装置１００全体の動作を制御する。
【００１５】
画像形成ユニット１は、給紙カセット１１、給紙ローラー１２、搬送ローラー対１３、レジストローラー対１４、画像形成部１５、定着器１６、排出ローラー対１７、及び、排出トレイ１８を備える。給紙ローラー１２は、給紙カセット１１から記録用紙Ｐを１枚ずつ繰り出す。給紙ローラー１２によって繰り出された記録用紙Ｐは、搬送ローラー対１３及びレジストローラー対１４によって画像形成部１５まで搬送される。
【００１６】
次に、図２を参照して、画像読取ユニット２、及び、原稿搬送ユニット３について説明する。図２は、図１に示す画像読取ユニット２及び原稿搬送ユニット３の構成を示す図である。ここで、画像読取ユニット２、及び、原稿搬送ユニット３は、「スキャナー」の一例に相当する。
【００１７】
画像読取ユニット２は、コンタクトガラス２１０、光源２２、第１ミラー２３１、第２ミラー２３２、第３ミラー２３３、第１キャリッジ２６、第２キャリッジ２７、結像レンズ２８、及び、ＣＣＤ（Ｃｈａｒｇｅ  Ｃｏｕｐｌｅｄ  Ｄｅｖｉｃｅ）２９を備えている。
【００１８】
原稿トレイ３１は、複数枚の原稿Ｒ（図１参照）が載置される場所である。
【００１９】
読取ガイド３６は、原稿Ｒの搬送方向についてレジストローラー対３５よりも下流側であって、画像読取ユニット２のコンタクトガラス２１０に対向するように配置されている。
【００２０】
また、原稿搬送ユニット３は、コンタクトガラス２１０上に載置された原稿Ｒを押える「原稿押さえ」としても機能する。
【００２１】
以下の説明では、上記ＡＤＦ読取モードで原稿搬送ユニット３によって搬送された原稿Ｒ上の画像が画像読取ユニット２によって読み取られる場合について説明する。
【００２２】
次に、図３を参照して、制御部５及び記憶部６の機能的な構成について説明する。図３は、図１に示す制御部５及び記憶部６の機能的な構成を示す図である。図３に示すように、制御部５は、機能的に、画像読取部５１、原稿向き検出部５２、ページ判定部５３、向き設定部５４、及び、画像記録部５５を備える。記憶部６は、画像記憶部６１を備える。換言すれば、制御部５において、上記ＣＰＵが、上記ＲＯＭに格納された制御プログラムを読みだして実行することによって、画像読取部５１、原稿向き検出部５２、ページ判定部５３、向き設定部５４、及び、画像記録部５５として機能する。また、制御部５において、上記ＣＰＵが、上記ＲＯＭに格納された制御プログラムを読みだして実行することによって、記憶部６を画像記憶部６１として機能させる。
【００２３】
画像記憶部６１は、画像読取部５１によって読み取られた原稿Ｒ（図１参照）の画像情報と、向き設定部５４によって設定された原稿Ｒの向き及びページ数とを対応付けて記憶する。ここで、「ページ数」とは、複数枚の原稿Ｒのうち、何ページ目であるかを示す。
【００２４】
画像読取部５１は、画像読取ユニット２及び原稿搬送ユニット３を介して、複数枚の原稿Ｒに形成された画像を読み取る。具体的には、画像読取部５１は、上記ＡＤＦ読取モードで、原稿搬送ユニット３によって搬送された原稿Ｒ上の画像を、画像読取ユニット２を介して読み取る。画像読取部５１は、読み取られた画像に対応する画像情報を生成する。
【００２５】
原稿向き検出部５２は、画像読取部５１によって読み取られた画像に基づいて、複数枚の原稿Ｒの向きを、それぞれ、検出する。具体的には、例えば、原稿向き検出部５２は、画像読取部５１によって読み取られた画像に、ＯＣＲ（Ｏｐｔｉｃａｌ  Ｃｈａｒａｃｔｅｒ  Ｒｅｃｏｇｎｉｔｉｏｎ）を施して、複数枚の原稿Ｒの向きを、それぞれ、検出する。
【００２６】
本実施形態では、原稿向き検出部５２が、画像読取部５１によって読み取られた画像にＯＣＲを施して、複数枚の原稿Ｒの向きを、それぞれ、検出する場合について説明するが、その他の方法で、複数枚の原稿Ｒの向きを、それぞれ、検出する形態でもよい。例えば、原稿向き検出部５２は、画像読取部５１によって読み取られた画像のレイアウトを検出して、複数枚の原稿Ｒの向きを、それぞれ、検出する。
【００２７】
この場合には、原稿Ｒの向きを正確に検出することができる。特に、原稿Ｒが、図、表のようなオブジェクトが配置された原稿Ｒであるときには、原稿Ｒの向きを更に正確に検出することができる。
【００２８】
また、原稿向き検出部５２が、画像読取部５１によって読み取られた画像にＯＣＲを施して、複数枚の原稿Ｒの向きを、それぞれ、検出できなかった場合には、画像読取部５１によって読み取られた画像のレイアウトを検出して、複数枚の原稿Ｒの向きを、それぞれ、検出する形態でもよい。この場合には、原稿向き検出部５２によって原稿Ｒの向きが検出される可能性を高めることができる。
【００２９】
ページ判定部５３は、原稿向き検出部５２によって原稿Ｒの向きが検出されなかった場合に、原稿Ｒが第１ページ目であるか否かを判定する。具体的には、図２に示す原稿トレイ３１に、複数枚の原稿Ｒが載置され、上記ＡＤＦ読取モードで複数枚の原稿Ｒに形成された画像を読み取る旨の指示がユーザーによって入力される（例えば、スタートボタンが押下される）。その後に、最初に画像読取部５１によって読み取られた画像を、ページ判定部５３は、第１ページ目の原稿Ｒの画像であると判定する。
【００３０】
向き設定部５４は、ページ判定部５３によって原稿Ｒが第１ページ目であると判定された場合に、原稿Ｒの向きを予め設定された向き（いわゆる、デフォールトの向き）に設定する。具体的には、向き設定部５４は、画像読取部５１によって原稿Ｒが原稿搬送ユニット３に送入されるときの原稿Ｒの先端側が原稿Ｒの上側又は左側になるように設定する。
【００３１】
また、ページ判定部５３によって原稿Ｒが第１ページ目ではないと判定された場合に、向き設定部５４は、原稿Ｒの向きを、その前に検出された原稿Ｒの向きと同一の向きに設定する。「その前に検出された原稿Ｒの向き」（以下、「前検出向きＤＢ」という。）とは、向き設定部５４が設定する対象の原稿Ｒの前のページの原稿Ｒについて、原稿向き検出部５２によって検出された原稿Ｒの向きである。
【００３２】
例えば、向き設定部５４が設定する対象の原稿Ｒの直前のページの原稿Ｒについて、原稿向き検出部５２によって原稿Ｒの向きが検出された場合には、その原稿Ｒの向きが「前検出向きＤＢ」である。また、例えば、向き設定部５４が設定する対象の原稿Ｒの直前のページの原稿Ｒについて、原稿向き検出部５２によって原稿Ｒの向きが検出されなかった場合には、以下のように「前検出向きＤＢ」が設定される。向き設定部５４が設定する対象の原稿Ｒの２ページ前の原稿Ｒについて、原稿向き検出部５２によって原稿Ｒの向きが検出された場合には、その原稿Ｒの向きが「前検出向きＤＢ」である。以下同様に、原稿向き検出部５２によって向きが検出された原稿Ｒまで遡って、「前検出向きＤＢ」が設定される。
【００３３】
なお、向き設定部５４が設定する対象の原稿Ｒの前の全てのページの原稿Ｒについて、原稿向き検出部５２によって原稿Ｒの向きが検出されなかった場合には、向き設定部５４は、原稿Ｒの向きを予め設定された向き（いわゆる、デフォールトの向き）に設定する。
【００３４】
更に、原稿向き検出部５２によって原稿Ｒの向きが検出された場合には、検出された原稿Ｒの向きを、向き設定部５４は、原稿Ｒの向きに設定する。
【００３５】
次に、図４を参照して、ページ判定部５３によって原稿Ｒが第１ページ目であると判定された場合に、向き設定部５４が設定する原稿Ｒの向きについて説明する。図４は、図３に示す向き設定部５４の機能を示す図である。図４（ａ）は、原稿Ｒの長手方向（図４（ａ）の左右方向）を送入方向（図４（ａ）の左向き）と平行に送入する場合を示す。図４（ｂ）は、原稿Ｒの長手方向（図４（ｂ）の上下方向）を送入方向（図４（ｂ）の左向き）と垂直に送入する場合を示す。
【００３６】
図４（ａ）の場合には、向き設定部５４は、原稿Ｒの向きを、原稿Ｒが送入されるときの原稿Ｒの先端側（図４（ａ）の左側）を原稿Ｒの上側に設定する。図４（ｂ）の場合には、向き設定部５４は、原稿Ｒの向きを、原稿Ｒが送入されるときの原稿Ｒの先端側（図４（ｂ）の左側）を原稿Ｒの左側に設定する。
【００３７】
画像記録部５５は、画像読取部５１によって読み取られた原稿Ｒ（図１参照）の画像情報と、向き設定部５４によって設定された原稿Ｒの向き及び上記ページ数とを対応付けて画像記憶部６１に記録する。
【００３８】
上述のように、原稿向き検出部５２によって原稿Ｒの向きが検出されなかった場合に、向き設定部５４によって原稿Ｒの向きが設定されるため、原稿Ｒの向きが検出できないことに伴うユーザーの利便性の低下を回避することができる。
【００３９】
また、ページ判定部５３によって原稿Ｒが第１ページ目であると判定された場合には、向き設定部５４によって、原稿Ｒが原稿搬送ユニット３に送入されるときの原稿Ｒの先端側を原稿Ｒの上側又は左側になるように設定される。したがって、第１ページ目の原稿Ｒの向きを適正に設定することができる。
【００４０】
更に、ページ判定部５３によって原稿Ｒが第１ページ目ではないと判定された場合には、向き設定部５４によって、原稿Ｒの向きが、その前に検出された原稿Ｒの向きと同一の向きに設定される。したがって、第２ページ目以降の原稿Ｒの向きを適正に設定することができる。
【００４１】
また、原稿向き検出部５２が、画像読取部５１によって読み取られた画像に、ＯＣＲを施して、複数枚の原稿Ｒの向きをそれぞれ検出するため、原稿Ｒの向きを正確に検出することができる。特に、原稿Ｒが、主に文字が鮮明に記載された原稿Ｒであるときには、原稿Ｒの向きを更に正確に検出することができる。
【００４２】
更に、画像記録部５５が、原稿Ｒの画像情報を、原稿Ｒの向き及び上記ページ数と対応付けて画像記憶部６１に記録するため、原稿Ｒの画像情報をモニターに適正に表示することができる。また、ステイプル位置（又は、パンチ位置）を適正に設定することができる。
【００４３】
次に、図５を参照して、制御部５の動作について説明する。図５は、図３に示す制御部５の動作を示すフローチャートである。まず、向き設定部５４によって、前検出向きＤＢの初期値として、零（ゼロ）が設定される（ステップＳ１０１）。なお、以下の説明においては、原稿Ｒの向きを数値で表す。原稿Ｒの向きを示す値として、例えば、上向きを「１」、下向きを「２」、左向きを「３」、及び、右向きを「４」とする。
【００４４】
次に、画像読取部５１によって、原稿Ｒに形成された画像が読み取られる（ステップＳ１０３）。そして、原稿向き検出部５２によって、ステップＳ１０３において読み取られた画像に基づいて、原稿Ｒの向きが検出されたか否かの判定が行われる（ステップＳ１０５）。原稿Ｒの向きが検出されたと判定された場合（ステップＳ１０５でＹＥＳ）には、処理がステップＳ１０７に進められる。原稿Ｒの向きが検出されなかったと判定された場合（ステップＳ１０５でＮＯ）には、処理がステップＳ１１３に進められる。
【００４５】
次いで、画像記録部５５によって、ステップＳ１０３において読み取られた画像が、ステップＳ１０５で検出された原稿Ｒの向き、及び、ページ数と対応付けて画像記憶部６１に記録される（ステップＳ１０７）。そして、向き設定部５４によって、前検出向きＤＢに検出向きＤＡが設定される（ステップＳ１０９）。ここで、検出向きＤＡは、ステップＳ１０５で検出された原稿Ｒの向きである。
【００４６】
ステップＳ１０９の処理が終了した場合、ステップＳ１１５の処理が終了した場合、又は、ステップＳ１１７の処理が終了した場合には、向き設定部５４によって、全ての原稿Ｒの読み取りが完了したか否かの判定が行われる（ステップＳ１１１）。全ての原稿Ｒの読み取りが完了したと判定された場合（ステップＳ１１１でＹＥＳ）には、処理が終了される。全ての原稿Ｒの読み取りが完了してはいないと判定された場合（ステップＳ１１１でＮＯ）には、処理がステップＳ１０３に戻され、次のページの原稿ＲについてステップＳ１０３以降の処理が繰り返し実行される。
【００４７】
また、ステップＳ１０５でＮＯの場合には、向き設定部５４によって、前検出向きＤＢの値が零（ゼロ）であるか否かの判定が行われる（ステップＳ１１３）。前検出向きＤＢの値が零（ゼロ）であると判定された場合（ステップＳ１１３でＹＥＳ）には、処理がステップＳ１１５に進められる。前検出向きＤＢの値が零（ゼロ）であるとは、ステップＳ１０５で原稿Ｒの向きが検出されたと判定されたことが一度もないことを意味している。前検出向きＤＢの値が零（ゼロ）ではないと判定された場合（ステップＳ１１３でＮＯ）には、処理がステップＳ１１７に進められる。前検出向きＤＢの値が零（ゼロ）ではないとは、ステップＳ１０５で原稿Ｒの向きが検出されたと判定されたことが少なくとも一度はあることを意味している。
【００４８】
ステップＳ１１３でＹＥＳの場合には、検出向きＤＡに、デフォールト向きＤＤの値が設定され（ステップＳ１１５）、処理がステップＳ１１１に進められる。ステップＳ１１３でＮＯの場合には、検出向きＤＡに、前検出向きＤＢの値が設定され（ステップＳ１１７）、処理がステップＳ１１１に進められる。
【００４９】
このようにして、原稿向き検出部５２によって原稿Ｒの向きが検出されなかった場合に、向き設定部５４によって原稿Ｒの向きが設定されるため、原稿Ｒの向きが検出できないことに伴うユーザーの利便性の低下を回避することができる。
【００５０】
なお、ステップＳ１０３が「画像読取工程」に相当する。ステップＳ１０５が「原稿向き検出工程」に相当する。ステップＳ１１３が「ページ判定工程」に相当する。ステップＳ１０９、ステップＳ１１５、及び、ステップＳ１１７が、「向き設定工程」に相当する。
【００５１】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（３））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の構成から実質的に逸脱しない範囲で種々の変更が可能である。
【００５２】
（１）本実施形態では、本発明に係る画像形成装置１００について説明したが、画像読取ユニット２及び原稿搬送ユニット３を備える装置であればよい。例えば、ＡＤＦを備えるスキャナーでもよい。
【００５３】
（２）本実施形態では、上記ＡＤＦ読取モードで原稿搬送ユニット３によって搬送された原稿Ｒ上の画像が読み取られる場合について説明したが、上記フラットベッド読取モードで原稿Ｒ上の画像が読み取られる形態でもよい。
【００５４】
（３）本実施形態では、上記デフォールトの向きが、原稿搬送ユニット３に送入されるときの原稿Ｒの先端側を原稿Ｒの上側又は左側とする向きである場合について説明したが、その他の形態でもよい。例えば、上記デフォールトの向きをユーザーが設定可能に構成されている形態でもよい。この場合には、更にユーザーの利便性を向上することができる。
【産業上の利用可能性】
【００５５】
本発明は、画像形成装置、及び、スキャナーで読み取られた複数枚の原稿の向きを判定する原稿向き設定方法に利用可能である。
【符号の説明】
【００５６】
１００    画像形成装置
１    画像形成ユニット
２    画像読取ユニット
３    原稿搬送ユニット
３１    原稿トレイ
３９    原稿排出トレイ
４    操作パネル
５    制御部
５１    画像読取部
５２    原稿向き検出部
５３    ページ判定部
５４    向き設定部
５５    画像記録部
６    記憶部
６１    画像記憶部
【図１】
2016158069.tif 000003
【図２】
2016158069.tif 000004
【図３】
2016158069.tif 000005
【図４】
2016158069.tif 000006
【図５】
2016158069.tif 000007